(57)【要約】【課題】小型かつ簡易な構成で、トラックに対するスポット形状を最適化し得る光ピックアップを実現する。【解決手段】プリズム２６によって、発光素子２５から出射されたレーザ光の光軸を並行移動させた後、当該レーザ光の光軸方向及び並行移動の移動方向に対して直角に反射して出射するようにしたことにより、トラックに対するスポット形状を最適化するために発光素子２５の取り付け方向を回転させた場合でも、部品点数を増やすことなく、光ピックアップの幅寸法を小さく抑えることができる。【選択図】図３
2008004173.tif 000002
【特許請求の範囲】
【請求項１】
レーザ光を出射する発光素子と、
上記発光素子から出射された上記レーザ光を入射面に対して直角に入射し、当該入射したレーザ光の光軸を並行移動させた後、当該レーザ光を、その光軸方向及び上記並行移動の移動方向に対して直角に反射して出射面から出射するプリズムと、
上記プリズムから出射された上記レーザ光を集光して光ディスクの記録面に照射する対物レンズと
を具えることを特徴とする光ピックアップ。
【請求項２】
上記プリズムは、
上記入射面に対して斜めかつ上記出射面に対して直角でなり、当該入射面を介して入射した上記レーザ光を反射する第１の反射面と、
上記第１の反射面と平行でなり、当該第１の反射面で反射された上記レーザ光を反射する第２の反射面と、
上記入射面とのなす角及び上記出射面とのなす角がそれぞれ４５°でなり、上記第２の反射面で反射された上記レーザ光を直角に反射して上記出射面から出射させる第３の反射面と
を具えることを特徴とする請求項１に記載の光ピックアップ。
【請求項３】
上記プリズムの上記第１、第２及び第３の反射面のうちの１又は複数は、当該反射面に対して他の光学材が貼り合わされてなる貼合せ反射面である
ことを特徴とする請求項１に記載の光ピックアップ。
【請求項４】
上記発光素子は、
その光軸が上記出射面から出射される上記レーザ光の光軸と垂直で、かつ、当該発光素子及び上記プリズムを保持する保持手段の長手方向に対して所定の角度を持つようにして当該保持手段に取り付けられている
ことを特徴とする請求項１に記載の光ピックアップ。
【請求項５】
上記発光素子を上記保持手段に取り付けるためのサブマウント及び上記プリズムは、上記保持手段の短手方向の略中心に取り付けられている
ことを特徴とする請求項４に記載の光ピックアップ。
【請求項６】
光ピックアップを有する光ディスク装置において、
上記光ピックアップは、
レーザ光を出射する発光素子と、
上記発光素子から出射された上記レーザ光を入射面に対して直角に入射し、当該入射したレーザ光の光軸を並行移動させた後、当該レーザ光を、その光軸方向及び上記並行移動の移動方向に対して直角に反射して出射面から出射するプリズムと、
上記プリズムから出射された上記レーザ光を集光して光ディスクの記録面に照射する対物レンズと
を具えることを特徴とする光ディスク装置。
【発明の詳細な説明】
【技術分野】
【０００１】
本発明は、光ディスク装置で用いられる光ピックアップに適用して好適なものである。
【背景技術】
【０００２】
従来、光ディスク装置で用いられる光ピックアップのレーザ光源として、レーザダイオードが広く用いられている。レーザダイオードは小型かつ低消費電力であり、当該レーザダイオードを用いることにより光ピックアップを小型化することができるなど数々の利点を有している。
【０００３】
ここで、レーザダイオードから出射されるレーザ光は楕円形の光束（ファーフィールドパターン）を形成し、これにより当該レーザ光を対物レンズで収束してなるスポットも楕円形となる。このため、レーザダイオードを用いる光ピックアップでは、レーザダイオードをその光軸周りに所定角度回転させた状態で光ピックアップに取り付けることにより、スポットがトラックに対して所定角度回転した状態で照射して、トラックに対するスポット形状を最適化するようになされている。
【０００４】
一方、光ディスク装置で用いられる光ピックアップにおいて、レーザダイオードや立上プリズム等を例えばセラミックの成型品でなるパッケージに封止するとともに、ビームスプリッタや回折格子等を一体化した光学集積素子や受光素子を当該パッケージ上に組み付けるようにして構成された集積型の光ピックアップが提案されている（例えば、特許文献１参照）。
【特許文献１】特開２００３−２４８９６０公報
【発明の開示】
【発明が解決しようとする課題】
【０００５】
ところで近年ではレーザダイオードの小型化が進んでおり、従来からある金属パッケージに封止された円筒形のレーザダイオード以外にも、楕円筒形の金属パッケージに封止されたレーザダイオードや、レーザダイオードのチップを直接マウントに取り付けて使用するチップ型等の様々な形状のレーザダイオードが普及している。
【０００６】
ところが、このような非円筒形のレーザダイオードでは、トラックに対するスポット形状を最適化するために光軸周りに回転させて取り付けることが困難であるとともに、回転させて取り付けることによってレーザダイオード全体の高さが増大してしまい、光ピックアップを小型化する障害となる問題があった。
【０００７】
このため、図９に示すように、レーザダイオード１から立上プリズム２に至る光学系を、パッケージ３の取付面３Ａ上において当該パッケージ３の長軸に対して斜めに取り付けることにより、立上ミラー２で反射されてパッケージ３から出射されるレーザ光の光束を回転させて、光ディスクのトラックに対するスポット形状を最適化することが考えられる。ところが、このような構成ではレーザダイオード１をその光軸周りに回転させて取り付ける必要はなくなるものの、パッケージ３の幅ｗが増大してしまい、これにより光ピックアップ全体が大型化してしまうという問題がある。
【０００８】
このようなパッケージ幅ｗの増大を回避するためには、図１０に示すように、レーザダイオード１から出射されたレーザ光を中継ミラー４で一旦反射して立上プリズム２に導くようにすることが考えられるが、この場合、光ピックアップを構成する部品点数が増加してしまうとともに、光ピックアップの組立誤差が発生しやすくなるという問題があった。
【０００９】
また図１１に示すように、立上プリズム２としてダハプリズムを用いることで、図１０に示した中継ミラー４の機能を立上プリズム２に持たせて部品点数の増加を防ぐことが考えられるが、ダハプリズムはその反射面構成が複雑であり、量産性が悪いなどの問題を有している。
【００１０】
本発明は以上の点を考慮してなされたもので、小型かつ簡易な構成で、トラックに対するスポット形状を最適化し得る光ピックアップ装置及びこれを用いた光ディスク装置を提案しようとするものである。
【課題を解決するための手段】
【００１１】
かかる課題を解決するため本発明の光ピックアップにおいては、レーザ光を出射する発光素子と、発光素子から出射されたレーザ光を入射面に対して直角に入射し、当該入射したレーザ光の光軸を並行移動させた後、当該レーザ光をその光軸方向及び並行移動の移動方向に対して直角に反射して出射面から出射するプリズムと、プリズムから出射されたレーザ光を集光して光ディスクの記録面に照射する対物レンズとを設けるようにした。
【００１２】
レーザ光の光軸移動及び立ち上げを単一のプリズムで行うようにしたことにより、トラックに対するスポット形状を最適化するために発光素子の取り付け方向を回転させた場合でも、光ピックアップの幅寸法を小さく抑えることができる。
【００１３】
また本発明の光ディスク装置においては、レーザ光を出射する発光素子と、発光素子から出射されたレーザ光を入射面に対して直角に入射し、当該入射したレーザ光の光軸を並行移動させた後、当該レーザ光をその光軸方向及び並行移動の移動方向に対して直角に反射して出射面から出射するプリズムと、プリズムから出射されたレーザ光を集光して光ディスクの記録面に照射する対物レンズとを光ピックアップに設けるようにした。
【００１４】
レーザ光の光軸移動及び立ち上げを単一のプリズムで行うようにしたことにより、トラックに対するスポット形状を最適化するために発光素子の取り付け方向を回転させた場合でも、光ピックアップの幅寸法を小さく抑えることができる。
【発明の効果】
【００１５】
本発明によれば、レーザ光の光軸移動及び立ち上げを単一のプリズムで行うようにしたことにより、トラックに対するスポット形状を最適化するために光ピックアップに対する発光素子の取り付け方向を回転させた場合でも、当該光ピックアップの幅寸法を小さく抑えることができ、かくして、小型かつ簡易な構成で、トラックに対するスポット形状を最適化し得る光ピックアップ装置及びこれを用いた光ディスク装置を実現することができる。
【発明を実施するための最良の形態】
【００１６】
以下図面について、本発明の一実施の形態を詳述する。
【実施例】
【００１７】
（１）光ディスク装置の全体構成
図１は全体として光ディスク装置１０を示し、制御部１１が全体を統括制御するようになされている。制御部１１はモータ１２を制御して光ディスク１３を回転駆動するとともに、光ピックアップ１５を制御して光ディスク１３にレーザ光を照射する。光ピックアップ１５は光ディスク１３で反射されたレーザ光を検出して再生信号を生成し、これを信号処理部１４に供給する。信号処理部１４は再生信号に対して所定の信号処理を施した後外部に出力する。
【００１８】
（２）光ピックアップの構成
図２は、本発明を適用した光ピックアップ１５の構成を示し、光学集積素子２０、コリメータレンズ２１、１／４波長板２２、及び対物レンズ２３が、例えばアルミダイキャスト成型品でなる図示しない光ピックアップベース（以下、これをＯＰベースと呼ぶ）にマウントされて構成されている。
【００１９】
光学集積素子２０は、保持手段としてのパッケージ２７に対して各種光学部品が組み付けられて構成されている。すなわち、下方に開口した箱状でなるパッケージ２７には、その内部上方の取付面２７Ａに対してレーザダイオード２５及び立上プリズム２６が取り付けられており、さらに当該パッケージ２７の開口部にリッド２７Ｂを取り付けることにより、パッケージ２７の内部にレーザダイオード２５及び立上プリズム２６が封止される。
【００２０】
またパッケージ２７の上面には、光ディスク１３で反射された反射レーザ光から再生信号や各種サーボエラー信号を得るための受光素子２８が取り付けられているとともに、回折格子２９Ａやホログラム２９Ｂを有するモールド複合素子２９がスペーサ３０を介して取り付けられ、さらにモールド複合素子２９の上面には、複数個のプリズムを組み合わせて構成された積層プリズム３１が取り付けられている。
【００２１】
光学集積素子２０は、レーザダイオード２５から出射されたレーザ光を立上プリズム２６によって上方へ折り曲げ、出射孔２７Ｃ及びモールド複合素子２９を介して積層プリズム３１のＰＢＳ（偏光ビームスプリッタ）３１Ａに入射させる。
【００２２】
このＰＢＳ３１Ａは、立上プリズム２６を介して入射してきたレーザ光をその偏光方向に基づいて透過し、出射レーザ光としてコリメータレンズ２１に入射させる。
【００２３】
コリメータレンズ２１は、ＰＢＳ３１Ａを透過してきた出射レーザ光を発散光から平行光へと変換し、さらに１／４波長板２２によって直線偏光から円偏光へと変換して対物レンズ２３に入射する。対物レンズ２３は出射レーザ光を集光して光ディスク１３の記録層に照射する。
【００２４】
また対物レンズ２３は、出射レーザ光が光ディスク１３で照射されてなる反射レーザ光を集光し、さらに１／４波長板２２によって出射レーザ光とは偏光方向が９０°異なる直線偏光へと変換してコリメータレンズ２１に入射させる。コリメータレンズ２１は、反射レーザ光を平行光から収束光へと変換して積層プリズム３１へと入射させる。
【００２５】
積層プリズム３１のＰＢＳ３１Ａは、反射レーザ光を９０°反射して全反射ミラー３１Ｂに入射させる。全反射ミラー３１Ｂは、ＰＢＳ２１Ａからの反射レーザ光を９０°反射し、モールド複合素子２９のホログラム２９Ｂを介して受光素子２８に入射させる。そして受光素子２８は、受光した反射レーザ光の光量に基づいて各種検出信号を生成し、これらを光ディスク装置１の信号処理部１４（図１）に供給する。
【００２６】
（３）本発明による立上プリズムとレーザダイオードの配置
次に、本発明による立上プリズム２６を用いたパッケージ２７内の素子配置について詳細に説明する。
【００２７】
図３はパッケージ２７を下方から見た状態を示し、取付面２７Ａの中央に開口された出射孔２７Ｃを覆うようにして立上プリズム２６が取り付けられているとともに、当該立上プリズム２６の側方（パッケージ２７の長手方向側）にレーザダイオード２５が取り付けられている。
【００２８】
図４は本発明の立上プリズム２６を示し、長手方向の断面が直角二等辺三角形でなる長い直角プリズム１００を、その長手方向に所定の角度α（ここではα＝４０°）傾けて並行に切断することにより形成される。
【００２９】
この立上プリズム２６は、長方形でなる入射面２６Ａと、直角三角形でなり入射面２６Ａに対し稜２６ａｂを介して接する第１反射面２６Ｂと、当該第１反射面２６Ｂと合同かつ平行な直角三角形でなり入射面２６Ａに対し稜２６ａｃを介して接する第２反射面２６Ｃと、平行四辺形でなり入射面２６Ａ、第１反射面２６Ｂ及び第２反射面２６Ｃに対しそれぞれ稜２６ａｄ、２６ｂｄ及び２６ｃｄを介して接する第３の反射面としての立上反射面２６Ｄと、一方の対角がα＝４０°の平行四辺形でなり入射面２６Ａ、第１反射面２６Ｂ、第２反射面２６Ｃ及び立上反射面２６Ｄに対しそれぞれ稜２６ａｅ、２６ｂｅ、２６ｃｅ及び２６ｄｅを介して接する出射面２６Ｅとを有する変形三角プリズムである。
【００３０】
この立上プリズム２６における入射面２６Ａと第１反射面２６Ｂとのなす角（すなわち稜２６ａｂ）はα＝４０°であり、当該第１反射面２６Ｂと第２反射面２６Ｃとは上述したように平行である。
【００３１】
また、立上プリズム２６における入射面２６Ａと出射面２６Ｅとのなす角、第１反射面２６Ｂと出射面２６Ｅとのなす角、及び第２反射面２６Ｃと出射面２６Ｅとのなす角（すなわち稜２６ａｅ、２６ｂｅ及び２６ｃｅの頂角）はいずれも直角（９０°）である。
【００３２】
さらに、立上プリズム２６における入射面２６Ａと立上反射面２６Ｄとのなす角、及び立上反射面２６Ｄと出射面２６Ｅとのなす角（すなわち稜２６ａｄ及び２６ｄｅの頂角）はいずれも４５°である。
【００３３】
この立上プリズム２６は、その出射面２６Ｅを上方に向けた状態で、当該出射面２６Ｅをパッケージ２７の取付面２７Ａにおける出射孔２７Ｃを覆うようにして取り付けられている。またレーザダイオード２５は、そのレーザ光出射面が立上プリズム２６の入射面２６Ｅに対向するようにして、パッケージ２７の取付面２７Ａに取り付けられている。
【００３４】
これによりレーザダイオード２５は、レーザ光の出射光軸がパッケージ２７の長手方向に対して設置回転角β＝９０°−α＝５０°だけ回転して取り付られ、対物レンズ２３（図２）で集光されたレーザ光のスポットを光ディスクのトラックに対してこの設置回転角βだけ回転した状態で照射することで、トラックに対するスポット形状を最適化するようになされている。
【００３５】
図５及び図６に示すように、レーザダイオード２５から出射されたレーザ光Ｌは、立上プリズム２６の入射面２６Ｅに対して直角に入射する。入射面２６Ｅはレーザ光Ｌをその入射角に応じてそのまま透過して、第１反射面２６Ｂに対して斜めに入射させる（光路Ｌ１）。
【００３６】
立上プリズム２６の第１反射面２６Ｂは、入射したレーザ光Ｌを反射し、第２反射面２６Ｃに対して斜めに入射させる（光路Ｌ２）。立上プリズム２６の第２反射面２６Ｃは、入射したレーザ光Ｌを反射して立上反射面２６Ｄに入射させる（光路Ｌ３）。
【００３７】
ここで、上述したように入射面２６Ａ、第１反射面２６Ｂ及び第２反射面２６Ｃは何れも出射面２６Ｅに対して直角であり、またレーザ光Ｌは入射面２６Ｅに対して直角に入射することから、立上プリズム２６の内部におけるレーザ光Ｌの光路Ｌ１〜Ｌ３は、出射面２６Ｅと平行な平面内に位置する。そして、第１反射面２６Ｂと第２反射面２６Ｃとは並行であることから光路Ｌ１及びＬ３は平行であり、その光路間隔Ｄは、第１反射面２６Ｂと第２反射面２６Ｃとの間隔を面間隔ｔとすると、次式で表される。
【００３８】
Ｄ＝ｔ／sinα            （０°＜α＜９０°）                    ……（１）
【００３９】
従って立上プリズム２６は、入射面２６Ｅに対して直角に入射したレーザ光Ｌを、出射面２６Ｅと平行な平面内において光路間隔Ｄだけ第２反射面２６Ｃ側にシフトして、立上反射面２６Ｄに入射させる。
【００４０】
そして、上述したように立上反射面２６Ｄと入射面２６Ｅとのなす角は４５°であることから、レーザ光Ｌは当該立上反射面２６Ｄに対して４５°の入射角で入射し、これにより立上反射面２６Ｄはレーザ光Ｌを上方に直角に反射して、出射面２６Ｅに対して直角に入射させる（光路Ｌ４）。立上プリズム２６の出射面２６Ｅは、レーザ光Ｌをその入射角に応じてそのまま透過し、取付面２７Ａの出射孔２７Ｃを介して上方に出射する。
【００４１】
ここで図３に示したように、レーザダイオード２５は、パッケージ２７における幅方向のほぼ中心に、その出射光軸を当該パッケージ２７の長手方向に対して設置回転角βだけ回転させて取り付けられている。このためレーザダイオード２５は、レーザ光をパッケージ２７における幅方向のほぼ中心から外方に向けて出射することになる。また立上プリズム２６は、その入射面２６Ａがレーザダイオード２５のレーザ光出射面と対向するよう配置されていることから、当該入射面２６Ａに対して角度αを有する第１反射面２６Ｂ及び第２反射面２６Ｃは、いずれもパッケージ２７の長手方向に対して平行となる。
【００４２】
図５（Ｂ）に示したように立上プリズム２６は、入射したレーザ光Ｌを光路間隔Ｄだけ横方向にシフトして立上反射面２６Ｄに入射させた後、当該立上反射面２６Ｄで上方へと反射して出射する。すなわち立上プリズム２６は、レーザダイオード２５からパッケージ２７の外方に向けて出射されたレーザ光Ｌを、パッケージ２７の幅中心方向にシフトさせた後、当該パッケージ２７の中央に設けられた出射孔２７Ｃの下方において立上反射面２６Ｄによってレーザ光Ｌを反射して上方に立ち上げる。
【００４３】
このように光ピックアップ１５は、レーザ光Ｌを横方向にシフトした後立ち上げる本発明の立上プリズム２６を用いたことにより、トラックに対するスポット形状を最適化するためにレーザダイオード２５を回転配置したにもかかわらず、当該レーザダイオード２５をパッケージ２７における幅方向のほぼ中心に配置することができ、これにより当該パッケージ２７の幅寸法を従来に比して大幅に削減することができる。
【００４４】
これに加えて光ピックアップ１５は、図３に示したように、レーザダイオード２５を保持してパッケージ２７に固定するためのサブマウント２５Ａをパッケージ２７における幅方向の中心に配置するとともに、立上プリズム２６内におけるレーザ光Ｌの光路位置に応じて、レーザダイオード２５をサブマウント２５Ａに対してシフトして取り付けるようにしたことにより、レーザダイオード２５に比べて外形寸法の大きなサブマウント２５Ａをパッケージ２７の幅方向中心に配置して、当該パッケージ２７の幅寸法を極限まで削減することができる。
【００４５】
さらに、立上プリズム２６の第１反射面２６Ｂ及び第２反射面２６Ｃはパッケージ２７の長手方向と平行となることから、レーザダイオード２５とともに立上プリズム２６を回転配置したにもかかわらず、パッケージ２７の幅寸法が増大することを回避できる。
【００４６】
（４）動作及び効果
以上の構成において、この光ピックアップ１５では、トラックに対するスポット形状を最適化するため、レーザダイオード２５の出射光軸をパッケージ２７の長手方向に対して設置回転角βだけ回転させて配置するとともに、当該レーザダイオード２５からパッケージ２７の外方に向けて出射されるレーザ光Ｌを、立上プリズム２６によってその光軸を幅方向にシフトさせた後上方に立ち上げるようにしたことにより、スポット形状最適化のためにレーザダイオード２５を回転配置したにもかかわらず、当該レーザダイオード２５をパッケージ２７における幅方向のほぼ中心に配置することができ、これにより当該パッケージ２７の幅寸法を従来に比して大幅に削減して、光ピックアップ１５の幅寸法を削減することができる。
【００４７】
また、立上プリズム２６単体でレーザ光の光軸シフト及び立ち上げを行い得ることから、図１０に示したような中継ミラー４を別途設ける必要が無く、従って光ピックアップ１５の部品点数を増加させることなく、光ピックアップ１５の幅寸法を削減することができる。
【００４８】
これに加えて立上プリズム２６は、長い直角プリズムを、その長手方向に角度αだけ傾けて並行に切断して第１反射面２６Ｂ及び第２反射面２６Ｃを形成することにより製造できるため、従来この種の用途に用いられるダハプリズム等の各種プリズムに比べ、簡易な工程で高精度に製造することができ、これにより光ピックアップ１５全体の構成を簡素化することができる。
【００４９】
また立上プリズム２６は、出射面２６Ｅをパッケージ２７に対する取付基準面として用いることができるとともに、入射面２６Ａをレーザダイオード２５の取付基準面として用いることができ、これにより光ピックアップ１５を組み立てる際の組立誤差を抑制することができる。
【００５０】
以上の構成によれば、小型かつ簡易な構成で、トラックに対するスポット形状を最適化し得る光ピックアップを実現することができる。
【００５１】
（５）他の実施の形態
なお、上述の実施の形態においては、第１反射面２６Ｂ、第２反射面２６Ｃ及び立上反射面２６Ｄのいずれについても、レーザ光を内面全反射するように立上プリズム２６を形成したが、本発明はこれに限らず、第１反射面２６Ｂ、第２反射面２６Ｃ及び立上反射面２６Ｄの一つ又は複数に対して屈折率の異なる硝材や光学プラスチック等の光学材料を貼り合わせ、この貼り合わせ面でレーザ光を反射するようにしてもよい。
【００５２】
すなわち図７（Ａ）は、第１反射面２６Ｂ及び第２反射面２６Ｃにそれぞれ第１反射硝材２６Ｂ１及び第２反射硝材２６Ｃ１を貼り合わせて形成した立上プリズム２６を示す。また図７（Ｂ）は、立上反射面２６Ｄに立上反射硝材２６Ｄ１を貼り合わせて形成した立上プリズム２６を示す。さらに図７（Ｃ）は、第１反射面２６Ｂ、第２反射面２６Ｃ及び立上反射面２６Ｄにそれぞれ第１反射硝材２６Ｂ１、第２反射硝材２６Ｃ１及び立上反射硝材２６Ｄ１を貼り合わせて形成した立上プリズム２６を示す。
【００５３】
これらの場合、反射面の膜設計が容易になるとともに、反射によるレーザ光の偏光の乱れを抑制することができる。この偏光乱れの抑制効果は、立上プリズム２６が発散光路中に配置される場合に顕著となる。
【００５４】
また上述の実施の形態においては、直角プリズムを長手方向に対して角度α＝４０°傾けて切断して、平行な第１反射面２６Ｂ及び第２反射面２６Ｃを形成し、斜方体状の立上プリズム２６を構成するようにしたが、本発明はこれに限らず、通過するレーザ光の妨げにならない範囲であれば、必要に応じて立上プリズム２６の稜を研削して面を形成するようにしてもよい。例えば図８に示すように、立上プリズム２６の稜２６ａｄを出射面２６Ｅと平行に研削して頂面２６Ｘを形成するようにすれば、立上プリズム２６の高さすなわち出射面２６Ｅに対して直角な厚みを削減して、ひいては光ピックアップ１５全体を小型化することができる。また、この頂面２６Ｘを取付面として立上プリズム２６を位置決めすることもできる。
【００５５】
さらに上述の実施の形態においては、直角プリズムを長手方向に対して角度α＝４０°傾けて切断し、第１反射面２６Ｂ及び第２反射面２６Ｃと入射面２６Ａとのなす角が４０°になるようにしたが、本発明はこれに限らず、トラックに対するスポットの角度によって定められるレーザダイオード２５の配置回転角に応じて角度αを決定することができる。
【産業上の利用可能性】
【００５６】
本発明は、ＣＤ（Compact Disc）、ＤＶＤ（Digital Versatile Disc）、Ｂｌｕ−ｒａｙディスク等の各種光ディスク装置に適用できる。
【図面の簡単な説明】
【００５７】
【図１】光ディスク装置の全体構成を示すブロック図である。
【図２】本発明の光ピックアップの構成を示す略線図である。
【図３】立上プリズムとレーザダイオードの配置を示す略線図である。
【図４】立上プリズムの構成を示す略線的斜視図である。
【図５】立上プリズムの構成を示す略線図である。
【図６】立上プリズム内の光路を示す略線的斜視図である。
【図７】他の実施の形態の立上プリズムの構成を示す略線的斜視図である。
【図８】他の実施の形態の立上プリズムの構成を示す略線的斜視図である。
【図９】レーザダイオード及び立上プリズムの配置を示す略線図である。
【図１０】レーザダイオード及び立上プリズムの配置を示す略線図である。
【図１１】立上プリズムとしてダハプリズムを用いた場合の配置を示す略線図である。
【符号の説明】
【００５８】
１、２５……レーザダイオード、２……立上プリズム、３、２７……パッケージ、４……中継ミラー、１０……光ディスク装置、１１……制御部、１２……モータ、１３……光ディスク、１４……再生処理部、１５……光ピックアップ、２０……光学集積素子、２１……コリメータレンズ、２２……１／４波長板、２３……対物レンズ、２６……立上プリズム、２６Ａ……入射面、２６Ｂ……第１反射面、２６Ｃ……第２反射面、２６Ｄ……立上反射面、２６Ｅ……出射面２６Ｅ、２８……受光素子、２９……モールド複合素子、３０……スペーサ、３１……積層プリズム。
【図１】
2008004173.tif 000003
【図２】
2008004173.tif 000004
【図３】
2008004173.tif 000005
【図４】
2008004173.tif 000006
【図５】
2008004173.tif 000007
【図６】
2008004173.tif 000008
【図７】
2008004173.tif 000009
【図８】
2008004173.tif 000010
【図９】
2008004173.tif 000011
【図１０】
2008004173.tif 000012
【図１１】
2008004173.tif 000013